(57)【要約】【課題】線状部材の端部同士をまとめるとともに、夜間でも目立つことができるようにして、その接続などの各種作業を全ての作業対象に対して漏れなく実行可能にすることを実現する夜間作業補助具を提供すること。【解決手段】夜間作業補助具１０であって、複数の高圧配電線Ｄの端部を一体となるように結束して保持する面ファスナ１１と、その面ファスナ１１に連結されて当該存在位置を遠隔位置から認識可能に発光するランプ１２と、を備える。【選択図】図２
2013176266.tif 000002
【特許請求の範囲】
【請求項１】
複数の線状部材の端部を近接位置で一体となるようにまとめて保持する保持部と、該保持部に連結されて当該保持部の存在位置を遠隔位置から認識可能に発光する発光部と、を備えることを特徴とする夜間作業補助具。
【請求項２】
前記発光部は、保持する前記線状部材の種別を色で表すように発光することを特徴とする請求項１に記載の夜間作業補助具。
【請求項３】
前記発光部は、保持する前記線状部材の種別を発光パターンで表すように発光することを特徴とする請求項１または２に記載の夜間作業補助具。
【請求項４】
前記発光部は、外面の全部または一部が外部に投光する領域として形成されており、
当該発光部を前記保持部に連結する連結部として、該発光部の投光方向を変化させるとともに当該投光方向を維持するように前記保持部に対する姿勢を変化させる機構を備えることを特徴とする請求項１から３のいずれか１項に記載の夜間作業補助具。
【請求項５】
前記保持部は、前記複数の線状部材に巻き掛けて締め付けることにより一体にまとめる結束バンドにより構成され、
前記発光部は、前記保持部側との連結箇所に、当該結束バンドを挿通する挿通穴を有して、該結束バンドを前記複数の線状部材に巻き掛けられて連結されることを特徴とする請求項１から４のいずれか１項に記載の夜間作業補助具。
【請求項６】
前記発光部は、作業者が直接または間接的に把持して、前記保持部と共に相対的な姿勢を維持しつつ一体移動可能な強度の連結部を介して当該保持部に連結されていることを特徴とする請求項１から５のいずれか１項に記載の夜間作業補助具。
【発明の詳細な説明】
【技術分野】
【０００１】
本発明は、夜間作業補助具に関し、詳しくは、線状部材の端部同士を作業し易いようにまとめることができ、その複数箇所の作業対象を夜間でも漏れなく把握することを可能にするものに関する。
【背景技術】
【０００２】
線状部材の端部は、自由に移動すると邪魔になることから、その端部同士を束ねるようにまとめておくことが行われている。その線状部材の一例である高圧配電線では、停電状態にした後に切断して各相毎に各種装置を設置するなどの作業が必要に応じて発生する場合があり、例えば、工事に伴う停電範囲をできるだけ小さくするために、その配電線を一旦切断した後に開閉器を配電線途中に臨時に設置する場合がある。
【０００３】
このような場合には、作業対象となる配電線の切断端部同士を仮止めするために、針金に絶縁被覆を施した、所謂、バインド線を巻き付けて切断端部同士を結束することにより一体にまとめることが行われている。この配電線の切断端部の仮止めは、架線状態で自由に揺動可能に垂れ下っているのでは危険であることから重要であり、また、接続相同士を一致させた状態で仮止めしたり、配索経路や曲がり具合の確認等を行って本接続する前に仮止めする必要もある。
【０００４】
しかしながら、このバインド線は、電線の絶縁被覆と同様に黒色であることから目立ち難く、特に、夜間にはその存在に気が付き難い。このため、不注意で切断端部間の接続作業をし忘れたまま片付けを始めてしまい、撤収前の確認・点検時に発見するなど不効率な作業となる。このことから、そうならないようにする確認作業の負担が大きいという現状がある。
【０００５】
この対策としては、例えば、特許文献１〜４に記載のように、光ファイバに識別情報を付ける表示具に代えて、接続作業が未完了であることを示す表示具を配電線の切断端部に取り付けることが考えられる。
【０００６】
しかしながら、夜間ではその表示具は目立たず、現場監督は地上から高所の作業箇所を照らして探さなければならず、見逃し易い、という問題がある。また、バインド線は、金属線であることから、一端、電線に巻き付けると癖が付いてしまい、やり直す際には、その癖を解消する作業、あるいは、大きな力でその癖を解消するように巻き付ける作業が必要であり、作業負担が大きいという課題がある。
【先行技術文献】
【特許文献】
【０００７】
【特許文献１】特開２００３−１４１９４１号公報
【特許文献２】特開２００４−４８９０６号公報
【特許文献３】特開２００４−２９７８４８号公報
【特許文献４】特開２００８−２６８７７５号公報
【発明の概要】
【発明が解決しようとする課題】
【０００８】
そこで、本発明は、線状部材の端部同士をまとめるとともに、夜間でも目立つことができるようにして、その接続などの各種作業を全ての作業対象に対して漏れなく実行可能にすることを実現する夜間作業補助具を提供することを目的としている。
【課題を解決するための手段】
【０００９】
上記課題を解決する夜間作業補助具の発明の一態様は、複数の線状部材の端部を近接位置で一体となるようにまとめて保持する保持部と、該保持部に連結されて当該保持部の存在位置を遠隔位置から認識可能に発光する発光部と、を備えることを特徴とするものである。
【発明の効果】
【００１０】
このように本発明の一態様によれば、複数の線状部材の端部をまとめて保持することができるとともに、その箇所の発光で当該箇所の存在を遠隔位置からでも容易に視認することができる。したがって、例えば、高所作業となる高圧配電線の切断端部同士の接続作業箇所をまとめて仮止めすることができるとともに、その作業対象となる箇所を地上からでも容易に把握することができる。この結果、細心の注意を払うことなく、作業漏れなく、線状部材端部に施す作業を完了することができる。
【図面の簡単な説明】
【００１１】
【図１】本発明に係る夜間作業補助具の第１実施形態を示す図であり、その全体構成を示す平面図である。
【図２】その使用状態を示す図であり、（ａ）はその作業対象の電線の延在方向から見た平面図、（ｂ）はその作業対象の電線の延在方向に対する直交方向から見た平面図である。
【図３】本発明に係る夜間作業補助具の第２実施形態を示す図であり、その全体構成を示す平面図である。
【図４】本発明に係る夜間作業補助具の第３実施形態を示す図であり、その全体構成を示す平面図である。
【図５】本発明に係る夜間作業補助具の第４実施形態を示す図であり、（ａ）はその要部構成を示す平面図、（ｂ）は要部構成と共に利用する汎用部品を示す斜視図、（ｃ）はその使用状態を示す一部断面平面図である。
【図６】本発明に係る夜間作業補助具の第５実施形態を示す図であり、その全体構成を示す一部断面平面図である。
【発明を実施するための形態】
【００１２】
本発明の実施形態の一態様としては、複数の線状部材の端部を近接位置で一体となるようにまとめて保持する保持部と、該保持部に連結されて当該保持部の存在位置を遠隔位置から認識可能に発光する発光部と、を備えるのに加えて、次の構成を備えてもよい。
【００１３】
第１の他の態様としては、前記発光部は、保持する前記線状部材の種別を色で表すように発光してもよい。
【００１４】
この態様では、発光自体の色、あるいは、色材料の透過光の色で、保持する線状部材の種別を表示することができ、種別毎の作業をより容易化することができる。
【００１５】
第２の他の態様としては、前記発光部は、保持する前記線状部材の種別を発光パターンで表すように発光してもよい。
【００１６】
この態様では、点灯、点滅（点滅時の点灯・消灯の時間や繰り返しなど）の発光パターンで、保持する線状部材の種別を表示することができ、種別毎の作業をより容易化することができる。
【００１７】
第３の他の態様としては、前記発光部は、外面の全部または一部が外部に投光する領域として形成されており、当該発光部を前記保持部に連結する連結部として、該発光部の投光方向を変化させるとともに当該投光方向を維持するように前記保持部に対する姿勢を変化させる機構を備えていてもよい。
【００１８】
この態様では、発光部を投光器として機能させるとともに、その投光方向（姿勢）を変化・維持させて作業箇所などを照明することができ、その投光箇所での作業をし易くすることができる。
【００１９】
第４の他の態様としては、前記保持部は、前記複数の線状部材に巻き掛けて締め付けることにより一体にまとめる結束バンドにより構成され、前記発光部は、前記保持部側との連結箇所に、当該結束バンドを挿通する挿通穴を有して、該結束バンドを前記複数の線状部材に巻き掛けられて連結されていてもよい。
【００２０】
この態様では、複数の線状部材の端部と共に発光部を結束バンドによりまとめて結束して容易に保持することができ、安価な結束バンドを使い捨てにして、あるいは、再利用可能な結束バンドを使い回しして作業に掛かるコストを安価にすることができる。
【００２１】
第５の他の態様としては、前記発光部は、作業者が直接または間接的に把持して、前記保持部と共に相対的な姿勢を維持しつつ一体移動可能な強度の連結部を介して当該保持部に連結されていてもよい。
【００２２】
この態様では、発光部を把持して、まとめた状態で保持する線状部材の端部の位置を調整することができ、別途、保持する道具を準備することなく、簡易に作業を継続することができる。
【００２３】
また、上記課題を解決する夜間作業方法の発明の一態様としては、複数の線状部材の端部を近接位置で一体となるようにまとめて仮止め保持するとともに、当該保持箇所を遠隔位置から認識可能に発光させるようにするのが効果的であり、上記夜間作業補助具を利用することにより実行することができる。また、このときには、保持する線状部材の種別を色で表すように発光させたり、保持する線状部材の種別を発光パターンで表すように発光させるのが好適である。
【００２４】
以下、図面を参照して、本発明の実施形態について詳細に説明する。図１および図２は本発明に係る夜間作業補助具の第１実施形態を示す図であり、この夜間作業補助具を用いることにより、例えば、高圧配電線の切断端部同士の仮止め作業を夜間に行う際に有効な夜間作業方法を容易に実行することができる。
【００２５】
図１において、夜間作業補助具１０は、図２に示す高圧配電線（線状部材）Ｄの２本を並行に延在させる姿勢の隣接状態にして、その周囲に少なくとも１周強以上巻き付けることができる程度の長さを有する、長尺形状の面ファスナ（保持部）１１と、例えば、高圧配電線が架線されている電柱上部等の高所における発光を地上から目視により確認できる程度の光強度で発光するランプ（発光部）１２と、を備えており、面ファスナ１１の一端側基端部には、その面ファスナ１１を挿通可能な幅に形成されている環状部材１３が連設されているとともに、この環状部材１３の面ファスナ１１の反対側には、ランプ１２を先端側に設置されている連結棒（連結部）１４の一端側基端部が固設されている。
【００２６】
面ファスナ１１は、一面側（図１における裏面側）の概略全面にループ形状部材が密になるように植えられているループ面１１ａと、他面側（図１における裏面側）の先端部にフック形状部材が密になるように植えられているフック面１１ｂと、を備えるように作製されている。この面ファスナ１１は、図２に示すように、そのループ面１１ａとフック面１１ｂとを互いに面接触させるように押し付けることでループ形状部材にフック形状部材を引っ掛けて係合状態にし、巻き付けた高圧配電線Ｄなどを結束することができる。
【００２７】
ランプ１２は、連結棒１４側に固設されているベース部２１と、このベース部２１にネジ式あるいは嵌め込み式で着脱自在に取り付けられている透光部２２と、を備えており、このベース部２１と透光部２２は、作業員が手でしっかりと把持することができる程度の手のひら大以下の大きさに形成されている。ベース部２１は、高強度で白色発光する小電力消費のＬＥＤ（light  emitting  diode）を搭載して点灯または点滅させる不図示の回路基板を内蔵しており、この回路基板には、透光部２２を外した状態にして交換可能なＬＥＤへの電力供給用のボタン電池や乾電池等の小型のバッテリと、同様に透光部２２を外した状態にしてＬＥＤの点灯、点滅、消灯を切り換えるスイッチと、が配置されている。透光部２２は、ベース部２１の回路基板上のＬＥＤの発光を効率よく透光する球形の透明部材の表面に色材料を塗布して、あるいは、その透明部材自体に着色して、赤色光、白色光、青色光の何れかの視認可能な発光を実現している。
【００２８】
環状部材１３は、面ファスナ１１幅を長尺方向とする長方形の挿通孔１３ｈを有する四角の環状形状に形成されており、作業時に変形したり、破損したりしない程度の強度を有する硬質樹脂材料などを成形などすることにより作製されている。この環状部材１３は、一方の長尺面１３ａ側に面ファスナ１１の基端部を埋め込む状態にして一体成形したり、その面ファスナ１１を挿通して基端部を引き抜き不能に係止する不図示の係止穴などを形成することにより、面ファスナ１１と連結状態にする。また、環状部材１３は、面ファスナ１１と同様に、他方の長尺面１３ｂ側に連結棒１４の基端部を一体成形したり、その連結棒１４をネジ構造により連結するなどして連結状態にする。
【００２９】
連結棒１４は、ランプ１２側を把持した状態で面ファスナ１１側を移動等させる作業をすることができる程度の強度を有する硬質樹脂材料などを成形などすることにより形成されており、環状部材１３と共に必要な強度を満足するように作製されている。
【００３０】
これにより、夜間作業補助具１０は、図２に示すように、開閉器等を接続するために停電させて切断した高圧配電線Ｄの端部同士を並行に隣接させた状態（近接位置）にまとめて、面ファスナ１１を巻き掛けて束ねることができ、その面ファスナ１１を環状部材１３に通して同一箇所で一周させることによりしっかりと束ねることができるとともに、ループ面１１ａに同一延在方向からフック面１１ｂを係合させて緩むことがないように結束させることができる。
【００３１】
また、ランプ１２は、ベース部２１のスイッチを点灯等させるように操作して、結束する高圧配電線ＤのＵＶＷ相に応じた色の透光部２２を選択して取り付けることにより、未接続の高圧配電線Ｄの存在を地上から目視で視認可能に相（種別）と共に表示することができ、また、そのランプ１２を直接把持して位置を変更する作業などを特別な道具を準備することなく簡易かつ容易に行うこともできる。すなわち、夜間作業補助具１０は、高圧配電線Ｄの接続作業を夜間に行う際に好適な作業方法を実行することができる。
【００３２】
このように本実施形態においては、各相毎の高圧配電線Ｄを相毎に発光色で区別しつつ作業することができるとともに、地上の現場監督などでも容易に目視により確認可能にすることができ、夜間でも細心の注意を払うことなく、接続忘れを未然に防止して接続作業を完了することができる。
【００３３】
次に、図３は本発明に係る夜間作業補助具の第２実施形態を示す図である。本実施形態は、上述実施形態と同様に構成されているので、同様な構成には同一の符号を付して特徴部分を説明する（以下で説明する他の実施形態においても同様）。
【００３４】
図３において、夜間作業補助具３０は、上述実施形態における面ファスナ１１と環状部材１３に代えて、ランプ１２を先端側に設置されている連結棒１４の基端部側を延長させて折り返したフック形状に形成されており、そのフック形状部３１は、連結棒１４の延長部３２と折返部３３とが対面するように形成されている。
【００３５】
このフック形状部３１は、延長部３２と折返部３３の内の少なくとも一方に（双方でもよい）、本実施形態では折返部３３に、高圧配電線Ｄの外周に沿う形状に形成されて嵌め込み収納する収納部３３ｒが２箇所に形成されているとともに、先端部３３ａも高圧配電線Ｄの外径よりも拡開するように延長部３２から離隔する方向に屈曲する形状に形成されている。
【００３６】
これにより、夜間作業補助具３０は、開閉器等を接続するために停電させて切断した高圧配電線Ｄの端部同士を並行に隣接させた状態（近接位置）にまとめて、フック形状部３１の延長部３２との間に進入させるように折返部３３の先端部３３ａ側から押し込むだけで、その折返部３３を弾性変形させつつ収納部３３ｒ内にその高圧配電線Ｄの端部を嵌め込んで保持させる状態にすることができ、ランプ１２を点灯等させて未接続の高圧配電線Ｄの存在を地上から目視で視認可能に相（種別）と共に表示することができる。
【００３７】
このように本実施形態においても、上述実施形態と同様の作用効果を得ることができ、夜間でも細心の注意を払うことなく、接続忘れを未然に防止して接続作業を完了することができる。
【００３８】
次に、図４は本発明に係る夜間作業補助具の第３実施形態を示す図である。
図４において、夜間作業補助具４０は、上述実施形態におけるフック形状部３１に代えて、ランプ１２を先端側に設置されている連結棒１４の基端部側を２又に分岐させて延長させたＵ字形状に形成されており、そのＵ字形状部４１は、連結棒１４の分岐延長部４２が対面するように形成されている。
【００３９】
このＵ字形状部４１は、分岐延長部４２の対向する位置の２箇所に、高圧配電線Ｄの外周に沿う形状に形成されて嵌め込み収納する収納部４２ｒが形成されているとともに、先端部４２ａも高圧配電線Ｄの外径よりも拡開するように互いに離隔する方向に屈曲する形状に形成されている。
【００４０】
これにより、夜間作業補助具４０は、開閉器等を接続するために停電させて切断した高圧配電線Ｄの端部同士を並行に隣接させた状態（近接位置）にまとめて、Ｕ字形状部４１の分岐延長部４２の間に進入させるようにその先端部４２ａ側から押し込むだけで、その分岐延長部４２を弾性変形させつつ収納部４２ｒ内にその高圧配電線Ｄの端部を嵌め込んで保持させる状態にすることができ、ランプ１２を点灯等させて未接続の高圧配電線Ｄの存在を地上から目視で視認可能に相（種別）と共に表示することができる。
【００４１】
このように本実施形態においても、上述実施形態と同様の作用効果を得ることができ、夜間でも細心の注意を払うことなく、接続忘れを未然に防止して接続作業を完了することができる。
【００４２】
次に、図５は本発明に係る夜間作業補助具の第４実施形態を示す図である。
図５において、夜間作業補助具５０は、図５（ａ）に示すように、上述実施形態における面ファスナ１１を環状部材１３に連設する状態に一体成形することなく、その環状部材１３と連結棒１４を一体成形するだけに留めている。その環状部材１３には、図５（ｂ）に示す市販の結束バンド５１を準備して挿通するとともに、図５（ｃ）に示すように、高圧配電線Ｄに巻き掛けて結束するようになっている。
【００４３】
結束バンド５１は、安価な製品を採用して使い捨てにしてもよいが、本実施形態では、ロックを解除して、面ファスナ１１と同様に繰り返し使用することができるようにしている。
【００４４】
なお、この結束バンド５１は、図５（ｂ）に示すように、可撓性を有するバンド部５２を挿通可能な枠形状のロック部５３がそのバンド部５２の基端側に一体成形されている。バンド部５２の一面側には、鋸歯状の係合歯５２ａが形成されるとともに、ロック部５３の枠形状内には、弾性変形しつつそのバンド部５２の係合歯５２ａに係合する係合爪５３ａが一体成形されており、この検束バンド５１は、係合歯５２ａに係合する係合爪５３ａがそのバンド部５２の戻り方向の移動を制限するように係止するようになっている。このロック部５３には、係合爪５３ａから外方に延長する解除爪５４も一体成形されており、その解除爪５４の端部をバンド部５２から離隔方向に移動させて弾性変形させることにより、係合爪５３ａを係合歯５２ａとの係合状態から離脱させてバンド部５２のロック状態を解除して引き抜くことができる。
【００４５】
これにより、夜間作業補助具５０でも、図５（ｃ）に示すように、開閉器等を接続するために停電させて切断した高圧配電線Ｄの端部同士を並行に隣接させた状態（近接位置）にまとめて、市販の結束バンド５１を準備して巻き掛けて緩むことがないように結束させることができ、ランプ１２を点灯等させて未接続の高圧配電線Ｄの存在を地上から目視で視認可能に相（種別）と共に表示することができる。
【００４６】
このように本実施形態においても、上述実施形態と同様の作用効果を得ることができ、夜間でも細心の注意を払うことなく、接続忘れを未然に防止して接続作業を完了することができる。
【００４７】
次に、図６は本発明に係る夜間作業補助具の第５実施形態を示す図である。
図６において、夜間作業補助具６０は、上述実施形態における連結棒１４に代えて、屈曲棒６１を備えて、その両端部にランプ１２と環状部材１３が一体になるように連設されている。
【００４８】
この屈曲棒６１は、上述実施形態における連結棒１４よりも長めに形成されているとともに、延在姿勢を直線状だけでなく屈曲する形状にも変形可能な材料あるいは構造になっており、ランプ１２の頂部１２ａを向ける向きを変更することができるようになっている。なお、屈曲棒６１は、材料自体で可塑性を有する柱状部材で作製してもよく、また、例えば、帯状部材の側辺側を摺接させつつ螺旋状に周回する構造に作製することにより任意の姿勢に屈曲可能にしたり、あるいは、ボール部とそのボール部を収容する柱状部とが一体成形されている要素部材を連結することによりボール部を介して連設されている柱状部同士の連設姿勢を調整することにより屈曲可能な構造にすることができる。
【００４９】
ランプ１２は、透光部２２の頂部１２ａ側がＬＥＤの発光をできるだけ減衰させることなく透過させる、例えば、白色あるいは透明材料を露出させて所望の光強度の投光を実行し得る投光部６２となるように作製されている。
【００５０】
これにより、夜間作業補助具６０は、開閉器等を接続するために停電させて切断した高圧配電線Ｄの端部同士を並行に隣接させた状態（近接位置）に結束することができるとともに、ランプ１２の透光部２２の高圧配電線ＤのＵＶＷ相に応じた色の発光で未接続の高圧配電線Ｄの存在を地上から目視で視認可能に相（種別）と共に表示することができるのに加えて、そのランプ１２の頂部１２ａの投光部６２からの発光を照明として、作業場所などに投光することができ、接続作業などを補助することができる。
【００５１】
このように本実施形態においても、上述実施形態と同様の作用効果に加えて、投光機能も利用することができ、夜間でも細心の注意を払うことなく、接続忘れを未然に防止しつつ接続作業を容易に完了することができる。
【００５２】
ここで、本実施形態では、ランプ１２のベース部２１のＬＥＤを点灯することにより、結束する高圧配電線ＤのＵＶＷ相に応じた色を透光部２２を介して発光させる場合を一例にして説明するが、これに限るものではなく、例えば、常時点灯だけでなく、点滅させて別の開閉器に接続する高圧配電線Ｄであることを表示することもでき、また、その点滅の発光パターンを複数備えることにより表示可能な台数を増やすこともできる。例えは、その発光パターンとしては、点滅だけでなく、光強度の強弱を変更してもよく、また、点滅などにおける点灯時間を長短組み合わせても区別可能に表示することもできる。
【００５３】
また、ランプ１２は、球形の場合を一例にして説明するが、これに限るものではなく、例えば、ボックス形状に形成することにより遠隔作業道具で確実に把持可能にすることもでき、その道具と共に連結棒１４などの絶縁性を確保することによって、より安全に作業をし得るようにすることもできる。
【００５４】
本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【産業上の利用可能性】
【００５５】
これまで本発明の一実施形態について説明したが、本発明は上述の実施形態に限定されず、その技術的思想の範囲内において種々異なる形態にて実施されてよいことは言うまでもない。
【符号の説明】
【００５６】
１０、３０、４０、５０、６０    夜間作業補助具
１１    面ファスナ
１２    ランプ
１２ａ  頂部
１３    環状部材
１４    連結棒
２１    ベース部
２２    透光部
３１    フック形状部
３３ｒ、４２ｒ  収納部
４１    Ｕ字形状部
５１    結束バンド
５２    バンド部
５３    ロック部
５４    解除爪
６１    屈曲棒
６２    投光部
Ｄ      高圧配電線
【図１】
2013176266.tif 000003
【図２】
2013176266.tif 000004
【図３】
2013176266.tif 000005
【図４】
2013176266.tif 000006
【図５】
2013176266.tif 000007
【図６】
2013176266.tif 000008